(57)【特許請求の範囲】
【請求項１】
観測対象物を観測する観測部を備えた観測装置と、撮像部及び表示部を備えた携帯端末装置とを通信接続した観測管理システムであって、
前記観測装置は、
携帯端末装置から観測対象物を探索する探索信号に応答して、前記観測部で観測された観測結果を近距離通信により送信する送信手段と、
筺体全体が先細り状の棒体を成し、その上部一側部から突出形成された取手と、
を備え、
前記取手の下側から人差し指を掛けた状態で前記筺体の上端面を親指の腹部分で押圧しながら当該筐体の抜き刺しが可能となる位置に前記取手を形成し、
前記携帯端末装置は、
前記撮像部により観測対象物が撮影された際に、観測対象物を探索する探索信号を発信し、それに応答して観測対象物側の前記観測装置から送信された観測対象物の観測結果を近距離通信により受信取得する受信手段と、
前記受信手段により受信した観測対象物の観測結果に応じて当該観測対象物の現在の状態を表現した状態表現情報を取得する取得手段と、
前記取得手段により取得した状態表現情報を前記撮影画像内の観測対象物に対応付けて前記表示部に表示させる表示制御手段と、
備えた、
ことを特徴とする観測管理システム。
【請求項２】
前記観測対象物側の位置を特定する特定手段と、
前記特定手段によって特定された位置が表示部に表示されているか判定する判定手段と、
を更に備え、
前記表示制御手段は、前記判定手段が前記特定された位置が表示部に表示されていると判定した場合、前記取得手段により取得した状態表現情報を前記撮影画像内の観測対象物に対応付けて前記表示部に表示させる、
ようにしたことを特徴とする請求項１に記載の観測管理システム。
【請求項３】
前記表示制御手段は、前記判定手段が前記観測対象物側の位置が前記表示部に表示されていないと判定した場合、前記観測対象物側の位置が前記表示部に表示されるような方向ガイドを表示させる、
ようにしたことを特徴とする請求項２に記載の観測管理システム。
【請求項４】
筺体全体が先細り状の棒体を成し、その上部一側部から突出形成された取手を有し、
前記取手の下側から人差し指を掛けた状態で前記筺体の上端面を親指の腹部分で押圧しながら当該筐体の抜き刺しが可能となる位置に前記取手を形成する、
ようにしたことを特徴とする観測装置。
【請求項５】
前記筐体の下部側の表面に、通気又は通水用の複数の細孔が形成されている、
ようにしたことを特徴とする請求項４に記載の観測装置。
【請求項６】
前記細孔の形成部分に土壌の侵入を防ぐ弁部材が形成されている、
ようにしたことを特徴とする請求項５に記載の観測装置。
【請求項７】
前記筐体の中央部に中央仕切板部を有し、
前記筐体の上半部と下半部は、前記中央仕切板部を境に分離可能である、
ようにしたことを特徴とする請求項４〜６のいずれか一項に記載の観測装置。
【発明の詳細な説明】
【技術分野】
【０００１】
本発明は、観測システム並びに観測装置に関する。
【背景技術】
【０００２】
一般に、植物を育成、栽培する場合に、植物の種類や環境により植物に与える水の量や日光の当て方、肥料の与え方、温度の条件などがそれぞれ異なるために、従来では、植物の育成に関する情報をユーザに提供するようにした技術が存在している。例えば、植物の置かれている環境をセンサにより観測して蓄積管理しておき、その観測した環境とその植物の最適な育成環境とを比較して、育成に関するガイド表示を行うようにした技術（植物育成ガイドシステム）が存在している（特許文献１参照）。
【０００３】
すなわち、この植物育成ガイドシステムにおいては、屋外の鉢に備えた植物環境測定装置と、屋内設置の植物育成管理装置（例えば、パーソナルコンピュータ）を有し、この鉢側の植物環境測定装置は、測定スイッチが操作されたり、測定時刻に到達したりした際に、各種のセンサで測定されたデータを保存し、その後、測定装置側の通信スイッチが操作されると、その操作に応答して上述の保存データを植物育成管理装置に対して送信する。管理装置は、この受信したデータから、データベースを参照することにより対処指示に関するガイド情報を表示するようにしている。
【先行技術文献】
【特許文献】
【０００４】
【特許文献１】特開２０１０−０７５１７２号公報
【発明の概要】
【発明が解決しようとする課題】
【０００５】
しかしながら、上述した先行技術にあっては、植物の環境測定結果を表示することで、植物を育てる際の助けとなるというメリットを有しているが、ガイド情報の表示だけでは植物の現在の状態をユーザが適切に判断できるとは限らず、また、測定装置から管理装置に観測データを送信させるには、その都度、通信スイッチを操作しなければならず、それだけユーザに負担をかけることにもなる。
【０００６】
本発明の課題は、観測対象物の状態を容易に確認できるようにすることである。
【課題を解決するための手段】
【０００７】
上述した課題を解決するために本発明の一つの態様は、
観測対象物を観測する観測部を備えた観測装置と、撮像部及び表示部を備えた携帯端末装置とを通信接続した観測管理システムであって、
前記観測装置は、
携帯端末装置から観測対象物を探索する探索信号に応答して、前記観測部で観測された観測結果を近距離通信により送信する送信手段と、
筺体全体が先細り状の棒体を成し、その上部一側部から突出形成された取手と、
を備え、
前記取手の下側から人差し指を掛けた状態で前記筺体の上端面を親指の腹部分で押圧しながら当該筐体の抜き刺しが可能となる位置に前記取手を形成し、
前記携帯端末装置は、
前記撮像部により観測対象物が撮影された際に、観測対象物を探索する探索信号を発信し、それに応答して観測対象物側の前記観測装置から送信された観測対象物の観測結果を近距離通信により受信取得する受信手段と、
前記受信手段により受信した観測対象物の観測結果に応じて当該観測対象物の現在の状態を表現した状態表現情報を取得する取得手段と、
前記取得手段により取得した状態表現情報を前記撮影画像内の観測対象物に対応付けて前記表示部に表示させる表示制御手段と、
備えた、
ことを特徴とする観測管理システム。
【０００８】
上述した課題を解決するために本発明の他の態様は、
筺体全体が先細り状の棒体を成し、その上部一側部から突出形成された取手を有し、
前記取手の下側から人差し指を掛けた状態で前記筺体の上端面を親指の腹部分で押圧しながら当該筐体の抜き刺しが可能となる位置に前記取手を形成する、
ようにしたことを特徴とする観測装置。
【発明の効果】
【０００９】
本発明によれば、観測対象物の状態を容易に確認することができ、利便性に富んだものとなる。
【図面の簡単な説明】
【００１０】
【図１】カメラ機能を備えた携帯端末装置１と、観測対象物を観測する観測装置２とを通信接続した観測管理システムを示したブロック図。
【図２】観測装置２を鉢３に抜き刺しする際の観測装置２の持ち方を説明するための図。
【図３】携帯端末装置１の基本的な構成要素を示したブロック図。
【図４】観測装置２の基本的な構成要素を示したブロック図。
【図５】観測装置２の概略縦断面図。
【図６】携帯端末装置１側に設けられている観測結果テーブルＴ１を説明するための図。
【図７】携帯端末装置１側に設けられている最適環境状態テーブルＴ２を説明するための図。
【図８】携帯端末装置１側に設けられているキャラクタテーブルＴ３を説明するための図。
【図９】撮像部１５からのスルー画像（撮影画像）をモニタ画像として表示するカメラモニタモードに切り替えられた際に実行開始されるフローチャート。
【図１０】観測対象物（植物）の現在の状態が最適な場合のキャラクタ表示例を示した図。
【図１１】観測対象物（植物）の現在の状態が日照過多の場合のキャラクタ表示例を示した図。
【図１２】第２実施形態において、携帯端末装置１の記憶部１３に備えられている最適育成状態テーブルＴ６を説明するための図。
【図１３】第２実施形態において、携帯端末装置１の記憶部１３に備えられている植物種テーブルＴ７を説明するための図。
【図１４】第２実施形態において、カメラモニタモードに切り替えられた際に実行開始されるフローチャート。
【発明を実施するための形態】
【００１１】
以下、本発明の実施の形態について、図面を参照して詳細に説明する。
（第１実施形態）
先ず、図１〜図１１を参照して本発明の第１実施形態を説明する。
図１は、カメラ機能を備えた携帯端末装置１と、観測対象物を観測する観測装置２とを通信接続して成る観測管理システムを示したブロック図である。
携帯端末装置１は、携帯電話機であり、音声通話機能、電子メール機能、インターネット接続機能（Ｗｅｂアクセス機能）、撮像機能（カメラ機能）、近距離通信機能などを備え、観測装置２との間では近距離通信によりデータの送受信が可能となっている。
【００１２】
観測装置２は、観測対象物の環境（例えば、本実施形態では植木や草花などの植物の生育環境）を観測するもので、その筺体全体は、細長状の中空の棒体を成している。そして、この観測装置２の中空棒体の全体は、先細り状に形成され、この観測装置２の下部（例えば、下半分）を鉢３の土壌内に埋め込む構成となっており、その下部側の表面には、通気・通水用として複数個の細孔２ａが形成されている。また、観測装置２の上端面には、観測対象物を識別するための観測対象物ＩＤ（図示の例では、識別番号“５”）２ｂが印刷や刻印などにより形成されている。なお、ユーザは、観測対象物に近付いて、観測装置２の上端面（観測対象物ＩＤの部分）を中心に、携帯端末装置１のカメラ機能により拡大撮影するようにしている。（図１参照）。
【００１３】
また、観測装置２の上端部分の一側部には弧状の取手２ｃを突出形成（一体成型）されている。ここで、図２に示すように、観測装置２の下部を鉢３の土壌内に抜き刺しする場合には、その上端面を親指の腹部分で押圧しながら、取手２ｃの下側に人差し指を掛けて行うことにより、観測装置２の抜き刺しをスムーズに行うことが可能な構成となっている。すなわち、取手２ｃの下側から人差し指を掛けた状態で筺体の上端面を親指の腹部分で押圧しながら当該筐体の抜き刺しが可能となる位置に取手２ｃを形成した構成となっている。
なお、図示のように鉢３内に１本の植木や草花が植えられている場合には、鉢３内に一つの観測装置２を刺し込み、また、鉢３内に複数種の植木や草花が植えられている場合には、その種類に応じた個数分の観測装置２を鉢３内に刺し込むようにしている。
【００１４】
図３は、携帯端末装置１の基本的な構成要素を示したブロック図である。
ＣＰＵ１１は、二次電池（図示省略）を備えた電源部１２からの電力供給によって動作し、記憶部１３内の各種のプログラムに応じてこの携帯端末装置１の全体動作を制御する中央演算処理装置である。記憶部１３には、図９に示した動作手順に応じて本実施形態を実現するためのプログラムや各種のアプリケーションなどが格納されているほか、携帯端末装置１が動作するために必要な各種の情報を一時的に記憶するワーク領域が設けられていると共に、後述する観測結果テーブルＴ１、最適環境状態テーブルＴ２、キャラクタテーブルＴ３などが設けられている。
【００１５】
電話通信部１４は、音声通話機能、電子メール機能、インターネット接続機能時に使用される広域通信部である。撮像部１５は、被写体を高精細に撮影可能なカメラ部を構成するもので、図示しないが、光学レンズ、撮像素子のほか、光学系駆動部、照明用のストロボ、アナログ処理回路、信号処理回路などが備えられている。そして、撮像部１５は、光学ズームを調整制御したり、オートフォーカス時の駆動、シャッタ駆動、露出、ホワイトバランスなどを制御したりする。
【００１６】
表示部１６は、例えば、高精細液晶ディスプレイや有機ＥＬディスプレイ、電気泳動型ディスプレイ（電子ペーパ）などを使用したもので、文字情報、待受画像などの表示情報を表示するほか、カメラ機能の使用時には撮影画像としてライブビュー画像（モニタ画像）を表示するファインダ画面となる。この表示部１５の表面には、指の接触を検出する接触操作部（透明な接触センサ）を積層配設することによってタッチスクリーン（タッチ画面）が構成されている。なお、表示部１６は、携帯端末装置１の前面部に配設されているのに対し、撮像部１５は、携帯端末装置１の背面部に配設されている。操作部１７は、図示省略したが、電源オン／オフボタン、カメラモニタモードなどに切り替えるボタンなどを有し、ＣＰＵ１１は、操作ボタンに応じた処理を行う。
【００１７】
近距離通信部１８は、ブルートゥースBluetooth（登録商標）・モジュールを構成し、観測装置２との間で交信を行うもので、その通信可能エリア内（例えば、半径２ｍ以内）となっている。携帯端末装置１から観測装置２を探索する探索信号（サーチ信号）を発信して、それに対する応答があれば、携帯端末装置１と観測装置２との通信リンクが確立されて相互でデータ通信が可能となる。この場合、携帯端末装置１は、観測装置２から発信された観測結果を受信取得する。
【００１８】
図４は、観測装置２の基本的な構成要素を示したブロック図である。
ＣＰＵ２１は、電池（一次電池や二次電池）を備えた電源部２２からの電力供給によって動作し、記憶部２３内の各種のプログラムに応じてこの観測装置２の全体動作を制御する。記憶部２３には、後述する観測データメモリＴ４、対象物ＩＤメモリＴ５が設けられている。また、ＣＰＵ２１には、その入出力デバイスとしての観測部（各種の環境センサ）、つまり、日の当たり具合を測定する日照計２４、外気温度を測定する外気温度計２５、外気湿度を測定する外気湿度計２６、鉢３内の土壌表面の湿度を測定する土壌湿度計２７が接続されているほかに、現在日時を計測する時計部２８、携帯端末装置１との間で近距離無線通信（ブルートゥースBluetooth（登録商標）通信）を行う近距離通信部２９が接続されている。なお、
日照計２４、外気温度計２５、外気湿度計２６、土壌湿度計２７は、小型電子部品であり、精度良く測定が可能なものを使用しているが、その構成は周知であるため、その説明については省略するものとする。
【００１９】
観測装置２のＣＰＵ２１は、予め設定されている時間間隔毎（例えば、１日毎や２日毎）に、日照計２４、外気温度計２５、外気湿度計２６、土壌湿度計２７で観測された生育環境（観測結果）をそれぞれ取得し、この生育環境（観測結果）を時計部２８の現在日付に対応付けて観測データメモリＴ４に追加記憶するようにしている。また、携帯端末装置１と観測装置２との通信接続が近距離通信部２９を介して確立されると、ＣＰＵ２１は、対象物ＩＤメモリＴ５と観測データメモリＴ４の内容を読み出して、近距離通信部２９から携帯端末装置１に送信させる。対象物ＩＤメモリＴ５は、観測対象物ＩＤ（図１の例では、識別番号“５”）を記憶するメモリである。観測データメモリＴ４は日照計２４、外気温度計２５、外気湿度計２６、土壌湿度計２７で観測された観測結果（生育環境に関する観測結果）を記憶するメモリである。
【００２０】
図５は、観測装置２の概略縦断面図である。
観測装置２の上端部側の天板部２ｄには、各種の電子部品として日照計２４、外気温度計２５、外気湿度計２６、近距離通信部２９用のアンテナ２９ａなどが内蔵されている。また、この電子部品の下方には、電源部２２である電池２２ａが内蔵されている。また、観測装置２の中央仕切板部２ｅには、土壌湿度計２７が内蔵されている。また、観測装置２の下端部側の表面には、上述した通気・通水用の複数の細孔２ａが形成されているが、観測装置２の下端部側の中空部において、細孔２ａの形成部分には土壌の侵入を防ぐための弁部材２ｆが複数形成されている。なお、図示省略したが、観測装置２の上半部と下半部とはその中央仕切板部２ｅを境にして分離可能な構成となっており、観測装置２の下半部を適宜取替え可能としている。なお、観測装置２の上半部と下半部とを分離した場合に、下半部の中空に栄養剤アンプルのカセットを挿入することにより栄養剤を土壌に注入するようにしてもよい。
【００２１】
図６は、携帯端末装置１側に設けられている観測結果テーブルＴ１を説明するための図である。
観測結果テーブルＴ１は、観測装置２から送信された観測結果（生育環境に関する観測結果）を観測日付別及び観測対象物ＩＤ別に記憶管理するテーブルで、図中、テーブルの縦方向は「観測日付」に対応付けられ、また、横方向は「観測対象物ＩＤ」に対応付けられている。図示の例において“No.１”、“No.２”、“No.３”、“No.４”、“No.５”、…は、複数の観測装置２に割り当てられた観測対象物ＩＤを示している。この観測対象物ＩＤに対応して植物の種類として、“No.１”には“サボテン”が記憶され、“No.２”には“野菜Ａ”、“No.３”には“シクラメン”、“No.４”には“観葉植物Ａ”、“No.５”には“観葉植物Ｂ”、…が記憶されている。なお、観測対象物ＩＤと植物の種類との対応関係は、ユーザ操作により任意に設定されたものである。
【００２２】
また、観測結果テーブルＴ１の「観測日付」と「観測対象物ＩＤ」とが交差する記憶領域には、観測装置２から受信した観測対象物の観測結果として、外気温度、外気湿度、土壌湿度、日照が記憶されている。この場合、観測結果テーブルＴ１には、過去所定日数分（例えば、１ヶ月分）の観測結果データを記憶するようにしているが、この所定日数分の観測結果データが既に記憶されているフル状態では、例えば、古い観測結果データから先入れ先出し方式に従って消去するようにしている。
【００２３】
図７は、携帯端末装置１側に設けられている最適環境状態テーブルＴ２を説明するための図である。
最適環境状態テーブルＴ２は、観測対象物の種類に対応してその育成に最適な環境状態を記憶管理するテーブルで、植物の種類毎に外気温度、外気湿度、土壌湿度、日照に対応してその最適な状態（特定な状態）を記憶する構成となっている。例えば、シクラメンの温度に関する最適な環境としては、最高気温が２５℃で、耐寒温度が７℃であり、生育適温（最適温度範囲）として１５℃〜２５℃が設定されている。最適環境は、１月〜１２月の時期サイクルに応じて経時的に定義されるもので、更に最適環境には追肥、株分け、鉢替えなどの最適時期情報も含むようにしている。
【００２４】
図８は、携帯端末装置１側に設けられているキャラクタテーブルＴ３を説明するための図である。
キャラクタテーブルＴ３は、観測対象物の観測結果に応じて当該観測対象物の現在の状態を表現した状態表現情報（所定の絵図として、例えば、キャラクタ）を記憶管理するもので、観測対象物の観測結果に応じてキャラクタを特定する際に使用される。すなわち、キャラクタテーブルＴ３には、観測対象物の現在の状態、例えば、“水分不足”、“水分過多”、“日照過多”などに応じてその状態を表現する内容のキャラクタが記憶されている。なお、図示の例では、水分、湿度、日照りの生育環境が“最適”な環境であることを示すキャラクタと、“日照過多”の環境であることを示すキャラクタが記憶されている場合を示している。
【００２５】
次に、第１実施形態における携帯端末装置１の動作概念を図９に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。なお、図９は、携帯端末装置１の全体動作のうち、本実施形態の特徴部分の動作概要を示したフローチャートであり、この図８のフローから抜けた際には、全体動作のメインフロー（図示省略）に戻る。
【００２６】
図９は、撮像部１５からのスルー画像（撮影画像）をモニタ画像として表示するカメラモニタモードに切り替えられた際に実行開始されるフローチャートである。このモニタモードにおいてユーザは、観測対象物又はその付近に撮像部１５を向けるようにしている。
先ず、ＣＰＵ１１は、撮像部１５からのスルー画像を取得して、表示部１６にモニタ画像として表示させる撮像モニタ表示を行う（ステップＡ１）。そして、近距離通信部１８を起動して観測装置２を探索する探索信号（サーチ信号）を送信させる（ステップＡ２）。
【００２７】
この状態において、観測装置２からサーチ信号に対する応答の有無をチェックし（ステップＡ３）、所定時間が経過しても観測装置２から応答がなければ（ステップＡ３でＮＯ）、この時点で図９のフローから抜けるが、観測装置２からの応答を受信したときには（ステップＡ３でＹＥＳ）、携帯端末装置１と観測装置２との通信が確立した通信可能な状態となる。この状態において、観測装置２から観測対象物ＩＤと共にその観測結果（生育環境に関する観測結果）を受信取得すると（ステップＡ４）、この受信内容（観測対象物ＩＤ、観測結果）を観測結果テーブルＴ１に追加記憶させる（ステップＡ５）。
【００２８】
そして、今回の送信元の位置を特定する処理、つまり、電波の受信状況（電波強度など）を解析することにより観測対象物ＩＤを送信した送信元（観測装置２）のおおよその位置を特定する処理を行う（ステップＡ６）。これによって特定した位置は、モニタ撮影の範囲内であるか（モニタ画像内に送信元が含まれているか）を調べ（ステップＡ７）、モニタ撮影の範囲から外れているときには（ステップＡ７でＮＯ）、モニタ撮影の範囲内に収まる方向を案内する方向ガイドを表示部１６内に表示させる（ステップＡ８）。そして、スルー画像をモニタ画像として表示する撮像モニタ表示を行いながら（ステップＡ９）、上述のステップＡ７に戻って、モニタ撮影の範囲内に送信元が含まれるようになったかを調べる。
【００２９】
モニタ撮影の範囲内に送信元が含まれているとき又は含まれるようになったときには（ステップＡ７でＹＥＳ）、観測対象物ＩＤに基づいて観測結果テーブルＴ１を検索してその観測対象物ＩＤに対応する観測対象物（植物）の種類を特定する（ステップＡ１０）。そして、この観測対象物ＩＤ（又は植物の種類）に対応する観測結果テーブルＴ１の内容及び最適環境状態テーブルＴ２の内容を参照して、その過去の観測結果から現在の観測結果までの変化状態を観測対象物の現在の状態として判定する（ステップＡ１１）。例えば、観葉植物Ａの最適な環境状態に比べて、“水分が少ない状態が何日も連続している（水分不足）”、又はサボテンの最適環境状態に比べて、“水分が多い状態が何日も連続している（水分過多）”、野菜Ａの最適環境状態に比べて、“日照りが何日も連続している（日照過多）”、又は“サボテンにとって最適な環境”であるなどを観測対象物（植物）の現在の状態として判定する。
【００３０】
そして、当該観測対象物の現在の状態を表現した状態表現情報を取得する。すなわち、上述の判定結果（例えば、“水分不足”、“水分過多”、“日照過多”など）に基づいてキャラクタテーブルＴ３を検索して該当するキャラクタを選択して読み出し取得する（ステップＡ１２）。これによって選択したキャラクタをモニタ画像内の送信元（観測装置２）の位置に対応付けて重畳表示させる（ステップＡ１３）。その後、上述の判定結果（観測対象物の現在の状態）は、特定の事態を示す状態であるか、つまり、危険な状態であるか、例えば、異常に長い間、“水分不足”、“水分過多”、“日照過多”などが続いている状態であるかを判別する（ステップＡ１４）。
【００３１】
いま、観測対象物の現在の状態が危険な状態でなければ（ステップＡ１４でＮＯ）、この時点で図９のフローから抜けるが、危険な状態であれば（ステップＡ１４でＹＥＳ）、モニタ画像を解析することにより特定した観測対象物の画像部分を識別（赤色）表示させた後（ステップＡ１５）、図９のフローから抜ける。ここで、図１０は、判定結果が最適な場合のキャラクタ表示例を示した図である。図１１は、判定結果が日照過多の場合のキャラクタ表示例を示した図で、モニタ画像内の観測装置２の上端部分とキャラクタを示した図である。なお、図１０、図１１は、キャラクタ、観測装置１の一部以外の観測対象物や鉢３などは図示省略したものである。
【００３２】
以上のように、第１実施形態において携帯端末装置１は、撮像部１５により観測対象物又はその付近が撮影された際に、その撮影画像（モニタ画像）内の観測対象物における観測結果を取得すると共に、取得した観測結果に応じて当該観測対象物の現在の状態を表した状態表現情報を取得した後、この状態表現情報を撮影画像内の観測対象物に対応付けて表示部１６で表示するようにしたので、ユーザにあっては特別な操作を行うことなく、観測対象物を撮影するだけで、その観測対象物の現在の状態をその場（観測対象物の付近）で容易に確認することができ、利便性に富んだものとなる。
【００３３】
携帯端末装置１は、観測装置２から発信された観測対象物の種類及びその観測結果を近距離通信により受信取得し、この観測対象物の種類に応じた最適環境状態テーブルＴ２の内容と、取得した観測結果との比較結果に応じて観測対象物の現在の状態を判定するようにしたので、観測対象物の種類毎に現在の状態を判定することができる。
【００３４】
携帯端末装置１は、観測対象物を植物とし、この植物側に備えられている環境センサ（日照計２４、外気温度計２５、外気湿度計２６、土壌湿度計２７）により観測された生育に関する観測結果を受信取得するようにしたので、この観測結果に応じて植物の現在の状態を適切に判定することができる。
【００３５】
携帯端末装置１は、近距離通信により観測対象物（観測装置２）を探索する探索信号を発信し、それに応答して観測装置２側から発信された観測結果を受信取得するようにしたので、観測対象物（観測装置２）に近付くだけで観測結果を取得することができる。
【００３６】
携帯端末装置１は、観測対象物の現在の状態を表現した状態表現情報として（所定の絵図：キャラクタ）を取得するようにしたので、ユーザにあっては直感的に分かり易い表現内容で観測対象物の現在の状態を知ることができる。
【００３７】
携帯端末装置１は、観測対象物の過去の観測結果から現在の観測結果までの変化状態に応じて当該観測対象物の現在の状態を表現した状態表現情報を取得するようにしたので、現在の状態を適切に判定してそれに合った状態表現情報を得ることができる。
【００３８】
携帯端末装置１は、観測対象物の現在の状態が特定の事態を示す状態（例えば、危険な状態）であれば、その特定状態を明示する表示（例えば、赤色表示）を行わせるようにしたので、特定状態を確実に知らせることが可能となる。
【００３９】
状態表現情報を撮影画像内の観測対象物の位置に重畳表示するようにしたので、状態表現情報と観測対象物との対応関係が明確なものとなる。
【００４０】
携帯端末装置１と観測装置２とを通信接続した観測管理システムであって、観測装置２は、携帯端末装置１から観測対象物を探索する探索信号に応答して、観測結果を近距離通信により送信し、携帯端末装置１は、撮像部１５により観測対象物が撮影された際に、探索信号に応答して観測装置２から送信された観測対象物の観測結果を近距離通信により受信取得した後、この観測結果に応じて当該観測対象物の現在の状態を表現した状態表現情報を取得し、この状態表現情報を撮影画像内の観測対象物に対応付けて表示部１６に表示させるようにしたので、ユーザにあっては特別な操作を行うことなく、観測対象物を撮影するだけで、その観測対象物の現在の状態をその場（観測対象物の付近）で容易に確認することができ、利便性に富んだものとなる。
【００４１】
観測装置２は、取手２ｃの下側から人差し指を掛けた状態で筺体の上端面を親指の腹部分で押圧しながら観測装置２の抜き刺しを行うようにしたので、その抜き刺しをスムーズに行うことができる。
【００４２】
上述した第１実施形態においては、携帯端末装置１と観測装置２との間でブルートゥースBluetooth（登録商標）通信を行うようにしたが、これに限らず、赤外線通信、非接触ＩＤカード通信などの近距離通信であってもよい。更に、近距離通信に限らず、構内通信網や広域通信網を介して携帯端末装置１と観測装置２との間で通信を行うようにしてもよい。
【００４３】
上述した第１実施形態においては、観測対象物の現在の状態を表現した状態表現情報をキャラクタテーブルＴ３から読み出し取得するようにしたが、構内通信網や広域通信網を介してサーバ装置（図示省略）から状態表現情報を受信取得するようにしてもよい。
【００４４】
（第２実施形態）
以下、この発明の第２実施形態について図１２〜図１４を参照して説明する。
なお、上述した第１実施形態において携帯端末装置１は、観測装置２から観測対象物ＩＤと共にその観測結果を近距離通信で受信取得して、この観測対象物ＩＤ（植物の種類）に対応する過去から現在の観測結果までの変化状態を観測対象物の現在の状態として判定するようにしたが、この第２実施形態において携帯端末装置１は、モニタ画像を解析することにより観測対象物の種類及びその観測結果を画像認識によって取得し、その観測対象物の種類に応じた最適な状態と観測結果との比較結果に応じて観測対象物の現在の状態を判定するようにしたものである。ここで、両実施形態において基本的あるいは名称的に同一のものは、同一符号を付して示し、その説明を省略すると共に、以下、第２実施形態の特徴部分を中心に説明するものとする。
【００４５】
図１２は、第２実施形態において、携帯端末装置１の記憶部１３に備えられている最適育成状態テーブルＴ６を説明するための図である。
最適育成状態テーブルＴ６は、植物の種類毎に、色・成長・開花具合などを記憶するテーブルで、観測対象物（植物）の種類に対応してその育成に最適な状態として、“葉の枚数・大きさ”、“開花具合・開花の数”、“幹部分の大きさ・太さ”、…が記憶されている。そして、最適育成状態テーブルＴ６には、例えば、植物の種類毎に、播種から育苗期、開花期などの成長過程毎や季節毎に最適な育成状態が記憶されている。
【００４６】
図１３は、第２実施形態において、携帯端末装置１の記憶部１３に備えられている植物種テーブルＴ７を説明するための図である。
植物種テーブルＴ７は、植物の種類毎に、その特徴を示す情報を記憶するもので、植物の種類を特定する際に使用される。図示の例では、植物の種類毎に、各部の特徴として“葉”、“茎”、“花”、…の項目を有し、各項目には成長過程に応じて色、花の形状などの特徴情報が記憶されている。
【００４７】
図１４は、第２実施形態において、カメラモニタモードに切り替えられた際に実行開始されるフローチャートである。
先ず、ＣＰＵ１１は、撮像部１５からのスルー画像を取得して、表示部１６にモニタ画像として表示させる撮像モニタ表示を行う（ステップＢ１）。そして、モニタ画像を画像認識して観測対象物を特定する（ステップＢ２）。なお、この第２実施形態においては、周知の画像認識技術を使用しているため、その説明は省略するが、植物の形状、色などのほか、周囲の鉢などの関係をも考慮に入れて観測対象物の画像部分を総合的に判断するようにしている。また、モニタ画像内に複数の観測対象物が写っている場合には、各観測対象物をそれぞれ特定するようにしている。
【００４８】
この画像認識の結果、観測対象物として特定していない未認識の観測対象物がモニタ画像内に含まれているかを調べ（ステップＢ３）、未認識対象物が無ければ（ステップＢ３でＮＯ）、図１４のフローから抜けるが、他の未認識対象物が有れば（ステップＢ３でＹＥＳ）、更に画像認識を行うことにより、特定した観測対象物毎にその種類（例えば、サボテン、観葉植物Ａなど）を特定する処理を行う（ステップＢ４）。この場合、植物種テーブルＴ７の内容を参照して、各植物の特徴情報に類似する被写体（植物）がモニタ画像内の含まれているかを調べ、特徴的に類似した被写体が含まれていれば、その種類を特定する。更に、観測対象物毎に、植物の色・成長・開花具合などを画像認識により総合的に観測してその観測結果を取得する（ステップＢ５）。
【００４９】
これによって特定した観測対象物の種類に対応する最適育成状態テーブルＴ６の内容及びその観測結果に基づいて観測対象物の現在の状態を判定する（ステップＢ６）。例えば、“最適な育成状態に比べて開花が１週間程、遅れている”、“開花の数が少ない”などを判定する。そして、この判定結果は、特定の事態を示す状態であるか、つまり、最適な状態とかけ離れている危険な状態であるか、例えば、極度の肥料不足や日照過多などで生育にとって危険な状態であるかを調べ（ステップＢ７）、危険な状態でなければ（ステップＢ７でＮＯ）、次の未認識対象物の有無をチェックするために上述のステップＢ２に戻る。
【００５０】
また、観測対象物の現在の状態が危険な状態であれば（ステップＢ７でＹＥＳ）、その状態で表現したキャラクタを選択し（ステップＢ８）、この選択キャラクタをモニタ画像内の観察対象物の位置に対応付けて重畳表示させる（ステップＢ９）、なお、第２実施形態においては、そのキャラクタの表示位置がタッチ操作されると、その生育に関する詳細な情報をポップアップ表示させるようにしている。その後、上述のステップＢ２に戻り、モニタ画像内に未認識対象物が有れば（ステップＢ３でＹＥＳ）、以下、上述の動作を繰り返す。その結果、観測対象物の現在の状態がその最適な状態とかけ離れている危険な状態であれば、その危険な状態を表現したキャラクタを、スルー画像内の当該観測対象物に対応付けて表示させる動作を観測対象物毎に繰り返す。
【００５１】
以上のように、第２実施形態において携帯端末装置１は、記撮像部１５により撮影されたモニタ画像を解析することによりモニタ画像内の観測対象物を観測してその観測結果を取得するようにしたので、観測対象物側に特別な装置を設けておかなくても、観測対象物を撮影するだけで、その観測対象物の現在の状態をその場で容易に確認することができる。
【００５２】
また、撮影画像を解析することにより撮影画像内の観測対象物を観測してその種類及びその観測結果を画像認識によって取得した後に、この観測対象物の種類に応じた最適育成状態テーブルＴ６の内容と取得した観測結果とを比較し、その比較結果に応じて観測対象物の現在の状態を判定するようにしたので、観測対象物の種類毎に現在の状態を判定することができる。
【００５３】
複数の観測対象物が撮影された際に、そのスルー画像を解析することにより各観測対象物を観測してその観測結果を取得すると共に、観測対象物毎に取得された観測結果と、最適育成状態テーブルＴ６内の最適な状態とを比較した結果、危険な状態であれば、その状態を表現した状態表現情報をスルー画像内の観測対象物に対応付けて表示するようにしたので、複数の観測対象物の中から危険な状態の観測対象物をのみ選別し、スルー画像内に当該観測対象物に対応付けて状態表現情報を表示するようにしたので、ユーザにあっては危険な状態の観測対象物を容易かつ確実に発見することができる。
【００５４】
なお、上述した各実施形態においては、カメラ機能に拡張現実技術（ＡＲ）を組み合わせることで体感的、体験的方法を用い、ユーザに助言するようにしてもよい。この場合、ＡＲキャラクタによる擬人化された助言提示形態により、意思表示のできない植物に、あたかも意思や人格が存在するかのように感じられるようにしてもよい。これによってキャラクタを介し植物の感情を疑似体験する情緒的価値と、植物管理育成の困難さが軽減される現実的価値をユーザに提供することができるようになる。このように植物（観測対象物）と厳密に同一な空間にＡＲキャラクタを表示するようにしたので、植物に意思や人格が存在するかのような表現が可能となる。なお、スルー画像内に植物（観測対象物）が写っている否かを画像認識によりチェックし、植物が写っている間、その植物と一緒にＡＲキャラクタを表示するようにしてもよい。
【００５５】
また、上述した各実施形態においては、観測対象物として植物を示したが、アクアリウムの水槽環境や、インコや文鳥などの鳥類、更には自動車などのように、趣味として愛玩する対象で、かつ状況の適不適を容易には看破できないものであってもよい。この場合、ペットとしての動物や熱帯魚を観測対象物とする場合には、ペットの飼育部屋の環境や水槽環境などを観測するようにしてもよい。犬や猫などの首輪部分に観測装置２を備えたり、水槽内に観測装置２を備えたりすればよいが、それに限らないことは勿論である。更に、観測対象物としてはペットなどの生物に限らず、肉や野菜などの生鮮食料品であってもよく、その保管場所や冷蔵庫内の保管環境、又はその鮮度状態を観測するようにしてもよい。更に、タンスなどの庫内環境を観測するようにしてもよく、観測対象物は任意である。
【００５６】
上述した各実施形態においては、状態表現情報としてキャラクタを表示するようにしたが、それに限らず、アイコンなど、表現力が豊かなその他の絵図であってもよい。また、状態表現情報としては、アドバイスバルーンなどであってもよい。更に、上述した各実施形態においては、状態表現情報を観測対象物の表示位置に対応付けて表示させる場合に、状態表現情報を観測対象物の表示位置に重畳表示するようにしたが、観測対象物と状態表現情報との対応付けが明確であれば、重畳表示に限らないことは勿論である。
【００５７】
上述した各実施形態においては、最適環境状態テーブルＴ２に最適な環境情報を記憶し、最適育成状態テーブルＴ６に最適な育成状態を記憶するようにしたが、最適に限らず、例えば、最悪の状態、不適切な状態を記憶するようにしてもよい。
【００５８】
また、上述した各実施形態においては、スルー画像内の状態表現情報（キャラクタ）を撮影画像として保存するようにしてもよい。すなわち、スルー画像内に状態表現情報（キャラクタ）を合成し、この合成画像を記録保存するようにしてもよい。
【００５９】
また、上述した各実施形態においては、観測装置２に日照計２４、外気温度計２５、外気湿度計２６、土壌湿度計２７を設けたが、更に土壌水分量を検出する土壌水分計測器（図示省略）を設けるようにしてもよい。この場合、観測装置２の下端部の外周面に電極坂を配設することにより水分量を直接的に電流測定するようにしてもよい。更には、観測装置２の下半部の中空に、土壌のpH（酸性度）やイオン量を測定する計測器を設けるようにしてもよい。
【００６０】
また、上述した各実施形態においては、携帯端末装置１に適用した場合を示したが、携帯端末装置１に限らず、カメラ機能付きＰＤＡ・デジタルカメラ・音楽プレイヤーなどであってもよく、勿論、デジタルカメラ自体であってもよい。
【００６１】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６２】
以上、この発明のいくつかの実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
観測対象物又はその付近を撮影する撮像部及びその撮影画像を表示する表示部を備えた携帯端末装置であって、
前記撮像部により観測対象物又はその付近が撮影された際に、その撮影画像内の観測対象物を観測した観測結果を取得する第１の取得手段と、
前記第１の取得手段により取得した観測対象物の観測結果に応じて当該観測対象物の現在の状態を表現した状態表現情報を取得する第２の取得手段と、
前記第２の取得手段により取得された状態表現情報を前記撮影画像内の観測対象物に対応付けて前記表示部に表示させる表示制御手段と、
を備えたことを特徴とする携帯端末装置である。
（請求項２）
請求項２に記載の発明は、請求項１に記載の携帯端末装置において、
前記観測対象物の種類毎に、その観測対象物の特定な状態を記憶する状態記憶手段を更に備え、
前記第１の取得手段は、観測対象物の観測結果と共にその観測対象物の種類を取得し、
前記第２の取得手段は、前記状態記憶手段の内容を参照し、前記第１の取得手段により取得された観測対象物の種類に応じた特定な状態と前記取得した観測結果とを比較し、その比較結果に応じて当該観測対象物の現在の状態を表現した状態表現情報を取得する、
ようにしたことを特徴とする請求項１記載の携帯端末装置である。
（請求項３）
請求項３に記載の発明は、請求項１あるいは請求項２に記載の携帯端末装置において、
前記観測対象物は、観測対象を生物としたもので、
前記第１の取得手段は、前記生物側に備えられている環境センサにより観測された生育に関する観測結果を受信取得する、
ようにしたことを特徴とする携帯端末装置である。
（請求項４）
請求項４に記載の発明は、請求項１あるいは請求項２に記載の携帯端末装置において、
前記第１の取得手段は、近距離通信により前記観測対象物を探索する探索信号を発信し、それに応答して当該観測対象物側から発信された観測結果を受信取得する、
ようにしたことを特徴とする携帯端末装置、である。
（請求項５）
請求項５に記載の発明は、請求項１あるいは請求項２に記載の携帯端末装置において、
前記第１の取得手段は、前記撮像部により撮影された撮影画像を解析することにより撮影画像内の観測対象物を観測してその観測結果を画像認識により取得する、
ようにしたことを特徴とする携帯端末装置である。
（請求項６）
請求項６に記載の発明は、請求項１に記載の携帯端末装置において、
前記観測対象物の種類毎に、その観測対象物の特定な状態を記憶する状態記憶手段を更に備え、
前記第１の取得手段は、前記撮像部により撮影された撮影画像を解析することにより撮影画像内の観測対象物を観測してその種類及びその観測結果を画像認識によって取得し、
前記第２の取得手段は、前記状態記憶手段の内容を参照し、前記第１の取得手段により取得された観測対象物の種類に応じた特定な状態と前記取得した観測結果との比較結果に応じて当該観測対象物の現在の状態を表現した状態表現情報を取得する、
ようにしたことを特徴とする携帯端末装置である。
（請求項７）
請求項７に記載の発明は、請求項１〜請求項６のいずれかに記載の携帯端末装置において、
前記第２の取得手段は、観測対象物の現在の状態を表現した状態表現情報として所定の絵図を取得する、
ようにしたことを特徴とする携帯端末装置である。
（請求項８）
請求項８に記載の発明は、請求項１〜請求項７のいずれかに記載の携帯端末装置において、
前記第２の取得手段は、前記観測対象物の過去の観測結果から現在の観測結果までの変化状態に応じて当該観測対象物の現在の状態を表現した状態表現情報を取得する、
ようにしたことを特徴とする携帯端末装置である。
（請求項９）
請求項９に記載の発明は、請求項１〜請求項８のいずれかに記載の携帯端末装置において、
前記第１の取得手段により取得した観測対象物の観測結果に応じた当該観測対象物の現在の状態が、特定の状態であるかを判別する判別手段を更に備え、
前記表示制御手段は、前記判別手段により観測対象物の現在の状態が特定の状態であると判別された場合に、その特定の状態を明示する表示を行う、
ようにしたことを特徴とする携帯端末装置である。
（請求項１０）
請求項１０に記載の発明は、請求項１〜請求項９のいずれかに記載の携帯端末装置において、
前記表示制御手段は、前記第２の取得手段により取得された状態表現情報を前記撮影画像内の観測対象物の位置に重畳して表示させる、
ようにしたことを特徴とする携帯端末装置。
（請求項１１）
請求項１１に記載の発明は、
観測対象物を撮影する撮像部及びその撮影画像を表示する表示部を備えた携帯端末装置であって、
前記観測対象物の特定な状態を記憶する状態記憶手段と、
前記撮像部により複数の観測対象物が撮影された際に、その撮影画像を解析することにより撮影画像内の各観測対象物を観測してその観測結果を画像認識によって取得する第１の取得手段と、
前記第１の取得手段により観測対象物毎に取得された観測結果と、前記状態記憶手段内の特定な状態とを比較し、その比較結果に応じて観測対象物毎に特定な状態であるか否かを判別する判別手段と、
前記判別手段により特定な状態であると判別された場合に、その観測対象物が特定な状態であることを表現した状態表現情報を取得する第２の取得手段と、
前記第２の取得手段により取得された状態表現情報を前記撮影画像内の観測対象物に対応付けて前記表示部に表示させる表示制御手段と、
備えたことを特徴とする携帯端末装置。
（請求項１２）
請求項１２に記載の発明は、
観測対象物を観測する観測部を備えた観測装置と、撮像部及び表示部を備えた携帯端末装置とを通信接続した観測管理システムであって、
前記観測装置は、
携帯端末装置から観測対象物を探索する探索信号に応答して、前記観測部で観測された観測結果を近距離通信により送信する送信手段を備え、
前記携帯端末装置は、
前記撮像部により観測対象物が撮影された際に、観測対象物を探索する探索信号を発信し、それに応答して観測対象物側の前記観測装置から送信された観測対象物の観測結果を近距離通信により受信取得する受信手段と、
前記受信手段により受信した観測対象物の観測結果に応じて当該観測対象物の現在の状態を表現した状態表現情報を取得する取得手段と、
前記取得手段により取得した状態表現情報を前記撮影画像内の観測対象物に対応付けて前記表示部に表示させる表示制御手段と、
備えた、
ことを特徴とする観測管理システムである。
（請求項１３）
請求項１３に記載の発明は、請求項１２記載の観測管理システムにおいて、
前記観測装置は、その筺体全体が先細り状の棒体を成し、その上部一側部から突出形成された取手を有し、
前記取手の下側から人差し指を掛けた状態で前記筺体の上端面を親指の腹部分で押圧しながら当該筐体の抜き刺しが可能となる位置に前記取手を形成する、
ようにしたことを特徴とする観測管理システムである。
（請求項１４）
請求項１４に記載の発明は、
コンピュータに対して、
撮像部により観測対象物又はその付近が撮影された際に、その撮影画像内の観測対象物における観測結果を当該観測対象物側から取得する機能と、
前記取得した観測対象物の観測結果に応じて当該観測対象物の現在の状態を表現した状態表現情報を取得する機能と、
前記取得された状態表現情報を前記撮影画像内の観測対象物に対応付けて表示部に表示させる機能と、
を実現させるためのプログラムである。
（請求項１５）
請求項１５に記載の発明は、
コンピュータに対して、
撮像部により複数の観測対象物が撮影された際に、その撮影画像を解析することにより撮影画像内の各観測対象物を観測してその観測結果を画像認識によって取得する機能と、
観測対象物の特定な状態が記憶されている状態において、前記観測対象物毎に取得された観測結果と、前記観測対象物の特定な状態とを比較し、その比較結果に応じて観測対象物毎に特定な状態か否かを判別する機能と、
前記特定な状態であると判別された場合に、その観測対象物が特定な状態であることを表現した状態表現情報を取得する機能と、
前記取得された状態表現情報を前記撮影画像内の観測対象物に対応付けて前記表示部に表示させる機能と、
を実現させるためのプログラム。
【符号の説明】
【００６３】
１  携帯端末装置
２  観測装置
１１、２１  ＣＰＵ
１３、２３  記憶部
１５  撮像部
１６  表示部
１７  操作部
１８、２９  近距離通信部
２４  日照計
２５  外気温度計
２６  外気湿度計
２７  土壌湿度計
２８  時計部
Ｔ１  観測結果テーブル
Ｔ２  最適環境状態テーブル
Ｔ３  キャラクタテーブル
Ｔ４  観測データメモリ
Ｔ５  対象物ＩＤメモリ
Ｔ６  最適育成状態テーブル
Ｔ７  植物種テーブル
【図１】
0005621880.tif 000002
【図２】
0005621880.tif 000003
【図３】
0005621880.tif 000004
【図４】
0005621880.tif 000005
【図５】
0005621880.tif 000006
【図６】
0005621880.tif 000007
【図７】
0005621880.tif 000008
【図８】
0005621880.tif 000009
【図９】
0005621880.tif 000010
【図１０】
0005621880.tif 000011
【図１１】
0005621880.tif 000012
【図１２】
0005621880.tif 000013
【図１３】
0005621880.tif 000014
【図１４】
0005621880.tif 000015